(57)【要約】【課題】様々な床面に対して使用することができる粘着テープロールを提供する。【解決手段】粘着部４１が基材２１の表面から垂直な軸線の先端に向かうにつれて横断面積が漸次小さくなる錐体状となるように形成する。【選択図】図３
2010142258.tif 000002
【特許請求の範囲】
【請求項１】
基材の一方の面に粘着面が形成された粘着テープを、その粘着面が表側を向くように巻回してなる粘着テープロールにおいて、
上記粘着面には、粘着剤が上記基材の表面に対して垂直な方向に向かうにつれて横断面積が漸次小さくなる錐体状となるように形成されていることを特徴とする粘着テープロール。
【請求項２】
上記粘着剤は、各々が円錐状または角錐状に形成されており、それらが上記基材の上に所定の間隔をもって配置されていることを特徴とする請求項１に記載の粘着テープロール。
【請求項３】
上記粘着剤の先端が凸球面または凹球面であることを特徴とする請求項１または２に記載の粘着テープロール。
【請求項４】
上記粘着剤は、上記基材の表面から先端に向かうにつれて段差が設けられていることを特徴とする請求項１，２または３に記載の粘着テープロール。
【請求項５】
上記粘着剤は、上記基材の表面に沿って所定の方向に沿って延在するリブ状に形成されており、上記基材の上に所定の間隔をもって配置されていることを特徴とする請求項１に記載の粘着テープロール。
【発明の詳細な説明】
【技術分野】
【０００１】
本発明は，粘着面が表側を向くように巻回された清掃用の粘着テープロールに関し、さらに詳しく言えば、床面を選ばずに使用することができる粘着テープロールに関する。
【背景技術】
【０００２】
清掃用の粘着テープロールは、一方の面に粘着面が形成された粘着テープを、その粘着面が表側を向くように多重に巻回し、専用の治具に装着して、床面などの被清掃面上に接触させながら転がすことにより、被清掃面上のゴミを捕らえるものである。
【０００３】
今までの粘着テープロールの多くは、基材のほぼ全面にわたって均一な厚さで粘着剤が塗布された、いわゆるベタ塗りされたタイプの粘着テープロールである。ベタ塗りタイプの粘着テープロールは、床面との接触面積が広いため、全面でゴミを捕捉できるという利点がある。
【０００４】
その反面、全面に粘着剤層が均一に形成されているため、テープをロール状に巻回したときに、テープが硬く、床面にある微細な凹凸に柔軟に追従することができず、小さな石などが付着すると、その周囲の部分の粘着面が浮いてしまって、ゴミの捕捉力が低下してしまう問題があった。
【０００５】
そこで、ベタ塗りタイプの粘着テープロールの欠点を解消したスジ塗りタイプの粘着テープロールが新たに開発された。すなわち、例えば特許文献１に示すように、スジ塗りタイプの粘着テープロールは、粘着剤層と未粘着剤層とを基材の巻回方向に沿って交互にスジ状に配置したものからなる。
【０００６】
これによれば、粘着剤層がスジ状に形成されていることにより、粘着剤層のない部分が空隙となって、クッション性を生み出すため、床面の微少な凹凸に柔軟に追従し、床面のゴミを大小関係なく捕らえることができる。
【０００７】
しかしながら、スジ塗りタイプの粘着テープロールは、粘着剤を全面に塗布しない分、当然ながらゴミの捕捉力が低下ししてしまう。そこで、特許文献２のような更なる粘着テープロールの改良品が提供されている。
【０００８】
特許文献２に記載の粘着テープロールは、基材の全面に粘着剤層を形成し、さらにその粘着剤層の上に粘着性の弱い弱粘着剤をスジ状に形成する点が記載されている。これによれば、強弱２つの粘着剤を用いることにより、カーペットにもフローリングにも使えるユニバーサルな粘着テープロールが得られる。
【０００９】
【特許文献１】実開昭５９−１５７６７２公報
【特許文献２】実用新案登録第２５２１１２７号公報
【発明の開示】
【発明が解決しようとする課題】
【００１０】
しかしながら、この粘着テープロールにも、以下のような課題が残されている。すなわち、ベタ塗りの欠点である床への張り付きやクッション性不足は解消されたものの、スジ塗り部を弱粘着にしたことにより、スジ塗り部でのゴミの捕捉力が低下するという欠点が生じた。
【００１１】
このほかにも、強弱２種類の粘着剤を用意しなくてはならず、材料コストが高くなる。また、ベタ塗り層を塗工した上にスジ塗り層を形成するため、２工程を要し、製造時間およびコストがその分嵩む。
【００１２】
また、この粘着テープを巻回した際に、スジ塗り層に弱粘着剤であるが故に粘着面と基材背面の剥離処理層との保持性が悪く、テープが巻戻りしやくすなる。さらには、スジ塗り層（弱粘着剤層）がベース層（強粘着材層）から剥離して、床面に移行する可能性もある。
【課題を解決するための手段】
【００１３】
そこで、本発明は上述した課題を解決するためになされたものであって、その目的は、様々な床面に対して使用することができる粘着テープロールを提供することにある。
【００１４】
上述した目的を達成するため、本発明は以下に示すいくつかの特徴を備えている。請求項１に記載の発明は、基材の一方の面に粘着面が形成された粘着テープを、その粘着面が表側を向くように巻回してなる粘着テープロールにおいて、上記粘着面には、粘着剤が上記基材の表面に対して垂直な方向に向かうにつれて横断面積が漸次小さくなる錐体状となるように形成されていることを特徴としている。
【００１５】
請求項２に記載の発明は、上記請求項１において、上記粘着剤は、各々が円錐状または角錐状に形成されており、それらが上記基材の上に所定の間隔をもって配置されていることを特徴としている。
【００１６】
請求項３に記載の発明は、上記請求項１または２において、上記粘着剤の先端が凸球面または凹球面であることを特徴としている。
【００１７】
請求項４に記載の発明は、上記請求項１，２または３において、上記粘着剤は、上記基材の表面から先端に向かうにつれて段差が設けられていることを特徴としている。
【００１８】
請求項５に記載の発明は、上記請求項１において、上記粘着剤は、上記基材の表面に沿って所定の方向に沿って延在するリブ状に形成されており、上記基材の上に所定の間隔をもって配置されていることを特徴としている。
【発明の効果】
【００１９】
本発明によれば、粘着剤が基材の表面から先端に向かうにつれて横断面積が漸次小さくなる錐体状に形成されていることにより、粘着面を被清掃面に対して軽く押し当てると粘着剤の接触面積が小さいため弱粘着タイプとなり、逆に強く押し当てることにより、粘着剤が変形して接触面積が大きくなり、強粘着タイプとなり、１つで弱粘着タイプと強粘着タイプの使い分けができ、フローリング床やカーペットなどオールマイティに使うことができる。
【発明を実施するための最良の形態】
【００２０】
次に、本発明の実施形態について図面を参照しながら説明するが、本発明はこの限りではない。図１は本発明の第１実施形態に係る粘着テープロールの斜視図であり、図２は第１実施形態の粘着テープの正面図であり、図３は図２のＡ−Ａ線断面図であり、図４ａ（ａ）は粘着剤を拡大した模式図であり、（ｂ）および（ｂ）はその変形例である。図４ｂ（ａ）〜（ｆ）は粘着剤の変形例を示す斜視図である。図５（ａ）〜（ｃ）は本発明の粘着テープロールの清掃メカニズムを模式的に説明する説明図である。図６は本発明の粘着テープロールの別の態様を示す斜視図である。
図７（ａ）本発明の粘着テープロールの製造装置の模式図であり、（ｂ）は製造装置の変形例を表す模式図である。
【００２１】
図１〜図３に示すように、この粘着テープロール１は、テープ基材２１の一方の面にゴミ取り面２２（粘着面）が形成された粘着テープ２を有し、そのゴミ取り面２２が表側（図１では上面側）を向くように巻芯３に沿ってロール状に巻回したものからなる。
【００２２】
この例において、巻芯３はボール紙などの紙製巻芯が用いられているが、これ以外に合成樹脂製の巻芯を用いてもよい。さらには、巻芯３を用いずに巻回する、いわゆるコアレス構造であってもよく、本発明において巻芯３の構成は任意である。
【００２３】
粘着テープ２のゴミ取り面２２を挟んで幅方向の両端には、未粘着部としてのドライエッジ部２４，２４が設けられているが、本発明において、ドライエッジ部２４，２４は任意的な構成要素である。
【００２４】
テープ基材２１は、例えば紙製で裏面（図２では下面）には、テープ基材２１の補強および剥離用としてのラミネートフィルム２３が設けられている。この例において、ラミネートフィルム２３は、ポリエチレン製でテープ基材２１の裏面に一体的に貼り合わせられている。テープ基材２１の材質は、仕様に応じて任意に選択されて良い。
【００２５】
本発明において、ラミネートフィルム２３は任意的な構成要素であり、テープ基材２１を紙に代えて、樹脂フィルムなどを用いることにより不要とすることができる。また、粘着剤の組成をコントロールすることによっても、ラミネートフィルム２３を省くことができる。
【００２６】
ゴミ取り面２２は、基材２１に沿って形成された粘着剤層４によって構築されている。粘着剤層４は、例えばＳＩＳ（スチレン−イソプレン−スチレン）系などの粘着剤をテープ基材２１の表面に沿って一様に塗布してなる単一の粘着剤である。
【００２７】
図４ａを併せて参照して、この粘着剤層４は、粘着剤が基材の表面から垂直方向の先端に向かうにつれて横断面積が漸次小さくなる円錐状に形成された粘着部４１を多数有し、それら粘着部４１が基材２１の上に所定の間隔をもって規則的に配置されている。
【００２８】
この例において、粘着部４１は各々が円錐状に形成されているが、図４ａの（ｂ）に示すように、三角錘であってもよいし、図４ａの（ｃ）に示すように四角錐であってもよく、基材２１の基端側から先端側に向かうにつれて横断面積が漸次減少するような錐体状に形成されていればよい。これら粘着部４１の半径や高さなどの具体的な寸法は、仕様に応じて任意に変更されてよい。
【００２９】
これ以外の形状としては、図４ｂの（ａ）に示すように、円錐、三角錐、四角錐形状の各粘着剤層４１の先端を半球凸状に形成してもよい。また、図４ｂ（ｂ）に示すように、先端側を平坦に切り欠いてもよい。図４ｂ（ｃ）〜（ｅ）に示すように、基端側から先端側に向かうに間に段差を設けてもよいし、図４ｂ（ｆ）に示すように、先端を半球凹状にしてもよい。
【００３０】
これによれば、図５（ａ）に示すように、粘着テープロール１を被清掃面Ｆに軽く押さえ付けて転がすと、粘着部４１の先端が若干潰れるが、空隙Ｇが大きく形成されたままであるため、被清掃面Ｆに対する接触面積が小さく、その結果、粘着力が弱くなり、いわゆるスジ塗りと同じ清掃効果が得られる。したがって、フローリング床などの平滑で粘着剤層４が貼り付きやすい床面に対して有効である。
【００３１】
クッションフロアや畳などの比較的粗い床面Ｆに対しては、図５（ｂ）に示すように、粘着テープロール１をやや強く押しながら転がす。これによれば、粘着部４１の先端が押圧によって押し潰されることで、空隙Ｇが減り、床面Ｆに対する接触面積が増えるため、粘着力が増し、比較的粗い清掃面上の埃をより確実に捕捉できる。
【００３２】
絨毯やカーペットなどの非常に粗い床面Ｆに対しては、図５（ｃ）に示すように、粘着テープロール１を強く押し込むことにより、粘着部４１が潰れて平坦になることで、空隙Ｇがほとんどなくなり、床面Ｆに対する接触面積が最大となり、粘着力がより増大して、いわゆるベタ塗りと同じ清掃効果となり、粗い床面Ｆに付着したゴミを確実に補足することができる。
【００３３】
この例において、粘着部４１は、基材２１の繰り出し方向と幅方向に沿って格子状に配置されているが、粘着部４１の配置方法については千鳥状に配置してもよいし、斜めに整列して配置するなどしてもよく、仕様に応じて任意に選択されてよい。
【００３４】
これとは別に図６に示すように、粘着部４１を基材２１の表面に沿って所定方向幅に延在するリブ状に形成してもよい。この例においては、断面三角形状のリブ状に形成されており、基材２１の繰り出し方向に沿って規則的に配置されている。これよっても、粘着テープロール１の押圧度合によって粘着力を加減することができる。
【００３５】
通常、粘着テープ２には、所定の間隔で切断用の切れ目５が設けられている。この例において、切れ目５は、周長にして３６０°未満となる間隔で粘着テープ２の巻回方向に対して直行する方向に形成されたミシン目からなるが、本発明において切れ目５の具体的な構成は任意であって良い。
【００３６】
次に、本発明の粘着テープロールの製造方法の一例について説明する。図７（ａ）に示すように、この粘着テープロールの製造装置１００は、粘着剤１１１が貯留されたリザーバ１１０と、一部が同リザーバ１１０の粘着剤１１１に浸されるように設置される転写ロール１２０と、テープ基材２１を挟んで転写ロール１２０に対向するように配置されるプレスロール１３０とを含んでいる。
【００３７】
この例において、粘着剤１１１はリザーバ１１０に貯留され、そこに転写ロール１２０を浸すことによって、粘着剤１１１が転写ロール１２０に供給されるようになっているが、図７（ｂ）に示すように、転写ロール１２０にガイドロール１４０を接触させ、転写ロール１２０とガイドロール１４０の間に形成される空間に粘着剤１１１を貯留するようにしてもよい。
【００３８】
転写ロール１２０は、この例においてロール表面にエッチング加工によって凹型面１２１が設けられた、いわゆるグラビアロールが用いられている。転写ロール１２０には、転写ロール１２０に付着した粘着剤１１１を均すとともに、余剰分を取り除くためのスキージ１５０が設けられている。
【００３９】
粘着剤層４を塗工するに当たっては、リザーバ１２０内に浸かった転写ロール１２０を回転させることにより、凹型面１２１内に粘着剤１１１が充填される。転写ロール１２０をさらに回転させると、転写ロール１２０の端部表面に接触したスキージ１５０によって転写ロール１２０の表面に粘着剤１１１が行き渡らせられるとともに、はみ出しだ余剰分の粘着剤１１１が取り除かれる。
【００４０】
スキージ１５０を通過した転写ロール１２０に沿ってテープ基材２１の一方の面が接触するように供給され、他方の面はガイドロール１３０によって押圧される。これにより、転写ロール１２０に塗布された粘着剤１１１がテープ基材２１に転写され、粘着剤層４のベース層４１と凸部４２とが同時に形成される。
【００４１】
これによれば、テープ基材２１の表面に沿って薄くて均一なベース層４１が形成されるとともに、ベース層４１の上の一部に凸部４２が同時に形成されるたことにより、塗工工程を少なく、粘着剤の使用量も減らすことができ、結果、生産コストを大幅に削減することができる。
【図面の簡単な説明】
【００４２】
【図１】本発明の一実施形態に係る粘着テープロールの斜視図。
【図２】本発明の粘着テープの正面図。
【図３】図２のＡ−Ａ線断面図。
【図４ａ】（ａ）粘着剤を拡大した模式図、（ｂ）粘着剤を三角錘状に形成した場合の模式図、（ｃ）粘着剤を四角錘状に形成した場合の模式図。
【図４ｂ】（ａ）〜（ｆ）粘着剤の変形例を示す模式図。
【図５】（ａ）〜（ｃ）は本発明の粘着テープロールの清掃メカニズムを模式的に説明する説明図。
【図６】本発明の粘着テープロールの別の態様を示す斜視図。
【図７】（ａ）本発明の粘着テープロールの製造装置の模式図、（ｂ）製造装置の変形例を表す模式図。
【符号の説明】
【００４３】
１  粘着テープロール
２  粘着テープ
２１  テープ基材
２２  ゴミ取り面
２３  ラミネートフィルム
２４  ドライエッジ部
３  巻芯
４  粘着剤層
４１  粘着部
５  切れ目
【図１】
2010142258.tif 000003
【図２】
2010142258.tif 000004
【図３】
2010142258.tif 000005
【図４ａ】
2010142258.tif 000006
【図４ｂ】
2010142258.tif 000007
【図５】
2010142258.tif 000008
【図６】
2010142258.tif 000009
【図７】
2010142258.tif 000010